(57)【要約】【課題】本発明は、集塵装置に関するもので、集塵効果を高めることを目的とする。【解決手段】そして、この目的を達成するために本発明は、塵埃旋回分離手段５を構成する旋回筒８内の旋回手段１１と気流出口１０間に網状のフィルター１３を設けた。  また、前記フィルター１３は、旋回筒８内において、気流出口側開口部１４が、気流出口１０に連結され、旋回手段側開口部１５が、旋回手段１１側に延長された網状筒体１６と、この網状筒体１６の旋回手段側開口部１５を覆った網状蓋体１７により構成した。さらに、網状蓋体１７は、その中心軸部分が前記旋回手段１１側に突出し、この突出部から外周部にかけて前記気流出口１０側に向けて徐々に傾斜させた形状とした。【選択図】図４
2015167909.tif 000002
【特許請求の範囲】
【請求項１】
気流吸込部、および気流吹出部を有する本体ケースと、この本体ケース内に設けられ、前記気流吸込部から本体ケース内に吸い込んだ気流を、前記気流吹出部から本体ケース外に排出するファンと、このファンによって前記気流吸込部を介して本体ケース内に吸い込まれた気流を旋回させ、この吸い込み気流中に含まれる塵埃を分離する塵埃旋回分離手段とを備え、前記塵埃旋回分離手段は、一端側に気流入口、他端側に気流出口を有する旋回筒と、この旋回筒内の前記気流入口、気流出口間に設けた旋回手段と、この旋回手段と前記気流出口間の外周壁に設けた塵埃排出口と、前記旋回筒内の前記旋回手段と前記気流出口間に設けた網状のフィルターとを有し、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状とした集塵装置。
【請求項２】
前記網状蓋体は、その中心軸部分が前記旋回手段側に突出し、この突出部から外周部にかけて前記気流出口側に向けて徐々に傾斜させた円錐形状とした請求項１に記載の集塵装置。
【請求項３】
前記網状蓋体は、その中心軸部分が前記旋回手段側に突出し、この突出部から外周部にかけて前記気流出口側に向けて徐々に傾斜させた半球形状とした請求項１に記載の集塵装置。
【請求項４】
前記網状筒体の前記旋回手段側開口部は、塵埃排出口の前記旋回手段側部分と同じ、または、この塵埃排出口の前記旋回手段側部分よりも前記気流出口側に配置した請求項１から３のいずれか一つに記載の集塵装置。
【請求項５】
前記フィルターの網状筒体と網状蓋体の内、少なくとも網状蓋体には導電性を付与した請求項１から４のいずれか一つに記載の集塵装置。
【請求項６】
前記塵埃旋回分離手段の気流出口側に板状蓋体を設け、この板状蓋体に気流出口を設けた請求項１から５のいずれか一つに記載の集塵装置。
【請求項７】
前記気流出口は、旋回筒よりも小径とし、この気流出口から旋回筒内に突出したフランジに、旋回筒内の気流出口側開口部を装着した請求項６に記載の集塵装置。
【発明の詳細な説明】
【技術分野】
【０００１】
本発明は、塵埃旋回分離手段を備えた集塵装置に関するものである。
【背景技術】
【０００２】
従来のこの種、集塵装置は、掃除機に広く活用され、気流吸込部、および気流吹出部を有する本体ケースと、この本体ケース内に設けられ、前記気流吸込部から本体ケース内に吸い込んだ気流を、前記気流吹出部から本体ケース外に排出するファンと、このファンによって前記気流吸込部を介して本体ケース内に吸い込まれた気流を旋回させ、この吸い込み気流中に含まれる塵埃を分離する塵埃旋回分離手段とを備えている。
【０００３】
また、前記塵埃旋回分離手段は、一端側に気流入口、他端側に気流出口を有する旋回筒と、この旋回筒内の前記気流入口、気流出口間に設けた旋回手段と、この旋回手段と前記気流出口間の外周壁に設けた塵埃排出口とを有する構成となっている（これに類似する先行文献としては、例えば下記特許文献１が存在する）。
【先行技術文献】
【特許文献】
【０００４】
【特許文献１】特開２０００−１５７４６３号公報
【発明の概要】
【発明が解決しようとする課題】
【０００５】
上記従来例においては、ファンを駆動すると、先ず、気流吸込部から本体ケース内に気流が吸い込まれ、次に、この気流が塵埃旋回分離手段によって旋回され、これによって、この吸い込み気流中に含まれている塵埃が分離され、前記塵埃旋回分離手段を構成する旋回筒の塵埃排出口から、外部のゴミ箱へと排出される。
【０００６】
しかしながら、塵埃の中でも、例えば髪の毛のような長いものは、その一部が塵埃排出口に向かって移動している状態でも、他の部分が、前記塵埃旋回分離手段を構成する旋回筒の気流出口に向かってしまうと、この気流出口に向かう風量のほうが、塵埃排出口に向かう風量よりも多いので、結論として、気流出口側に排出されてしまう。
【０００７】
つまり、この塵埃旋回分離手段では分離できず、集塵効果の低いものとなってしまう。
【０００８】
そこで、本発明は、集塵効果を高めることを目的とするものである。
【課題を解決するための手段】
【０００９】
そして、この目的を達成するために本発明は、塵埃旋回分離手段を構成する旋回筒内の旋回手段と気流出口間に網状のフィルターを設け、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状とし、これにより所期の目的を達成するものである。
【発明の効果】
【００１０】
以上のように本発明は、塵埃旋回分離手段を構成する旋回筒内の旋回手段と気流出口間に網状のフィルターを設け、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、集塵効果を高めることができる。
【００１１】
すなわち、本発明においては、塵埃旋回分離手段を構成する旋回筒内の旋回手段と気流出口間に網状のフィルターを設け、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、例えば、髪の毛のような長い塵埃が吸い込まれてきても、それをフィルターの傾斜面に沿って外方の塵埃排出口へと排出することができるようになり、この結果として、集塵効果を高めることができるのである。
【００１２】
また、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、フィルターとしての通気面積が大きく、その結果として、通気抵抗が大きくなるのを抑制することができ、この結果として、集塵効果を高めることができる。
【００１３】
また、前記網状蓋体は、その中心軸部分が前記旋回手段側に突出し、この突出部から外周部にかけて前記気流出口側に向けて徐々に傾斜させた形状としたので、旋回手段によって形成された旋回流が旋回時の抵抗を受ける事も抑制することができ、この結果として、集塵効果を高めることができる。
【図面の簡単な説明】
【００１４】
【図１】本発明の実施の形態１にかかる集塵装置の斜視図
【図２】同集塵装置の縦断面図
【図３】同集塵装置の塵埃旋回分離手段を示す斜視図
【図４】同集塵装置の塵埃旋回分離手段の断面図
【図５】同集塵装置の塵埃旋回分離手段の要部を反転させた状態の斜視図
【図６】（ａ）同集塵装置の塵埃旋回分離手段のフィルターを示す正面図（ｂ）同フィルターの斜視図
【発明を実施するための形態】
【００１５】
以下、本発明の実施の形態について図面を参照しながら説明する。
【００１６】
（実施の形態１）
図１、図２において、１は、下方に気流吸込部２、上方に気流吹出部３を有する箱状の本体ケースである。
【００１７】
本体ケース１内にはファン４が設けられ、このファン４を駆動すると、本体ケース１外の空気は、前記気流吸込部２から本体ケース１内に吸い込まれ、次に、塵埃旋回分離手段５を通過し、その後、フィルター５ａを通過する。
【００１８】
フィルター５ａを通過した気流の一部は加湿体６を通過し、他部は加湿体６の周りを通過し、次に、ファン４を通過し、その後、気流吹出部３から本体ケース１外へと吹き出される。
【００１９】
つまり、前記気流吸込部２から本体ケース１内に吸い込まれた気流に含まれる塵埃のうち、大きなものは塵埃旋回分離手段５で旋回されることで分離され、その後、塵埃回収箱７へと回収される。
【００２０】
また、前記気流吸込部２から本体ケース１内に吸い込まれた気流に含まれる塵埃のうち、小さなものは塵埃旋回分離手段５を通過し、その後、フィルター５ａで集塵される。
【００２１】
そして、塵埃が除去された気流の一部が加湿体６を通過することで加湿され、加湿体６の周りを通過した気流とともに、ファン４を通過し、その後、気流吹出部３から本体ケース１外へと吹き出される。
【００２２】
本実施形態の塵埃旋回分離手段５は、図３、図４に示すように、水平方向に、円筒状の旋回筒８を複数並べた構成としている。
【００２３】
各旋回筒８は、一端側（下端側）に気流入口９、他端側（上端側）に気流出口１０を有する。
【００２４】
また、この旋回筒８内の気流入口９、気流出口１０には、螺旋状面による旋回手段１１が配置されている。
【００２５】
さらに、この旋回手段１１と気流出口１０間の旋回筒８の外周壁には、塵埃排出口１２が配置されている。
【００２６】
また、旋回筒８内の旋回手段１１と気流出口１０間には、図４〜図６に示す網状のフィルター１３が配置されている。
【００２７】
このフィルター１３は、図４のごとく、旋回筒８内において、気流出口側開口部１４が、この気流出口１０に連結され、旋回手段側開口部１５が、前記旋回手段１１側に延長された網状筒体１６と、この網状筒体１６の旋回手段側開口部１５を覆った網状蓋体１７により構成されている。
【００２８】
また、網状蓋体１７は、その中心軸部分が前記旋回手段１１側に突出し、この突出部から外周部にかけて前記気流出口側に向けて徐々に傾斜させた形状としている。
【００２９】
つまり、網状蓋体１７は、図６に示すように、その中心軸部分が旋回手段１１側に突出し、この突出部から外周部にかけて前記気流出口側に向けて徐々に傾斜させた円錐形状としている。
【００３０】
また、網状筒体１６の旋回手段側開口部１５は、図４のごとく、塵埃排出口１２の旋回手段１１側部分と同じ、または、この塵埃排出口１２の旋回手段１１側部分よりも気流出口１０側に配置している。
【００３１】
なお、本実施形態では、水平方向に、円筒状の旋回筒８を複数並べた構成としているので、塵埃旋回分離手段５の気流出口１０側に板状蓋体１８を設け、この板状蓋体１８に図３のごとく複数の気流出口１０を設けている。
【００３２】
そのような構成にし、前記気流出口１０は、図４のごとく、旋回筒８よりも小径とし、この気流出口１０から旋回筒８内に突出したフランジ１９に、旋回筒８内の気流出口側開口部１４を装着することで、旋回筒８内における定位置が設定されている。
【００３３】
また、本実施形態では、図５に示すように支持部材１３ａによって、網状のフィルター１３の形状を維持させている。なお、フィルター１３にある程度形状を維持できる強度があれば、支持部材１３ａはなくてもよい。
【００３４】
以上の構成において、ファン４を駆動すると、本体ケース１外の空気は、前記気流吸込部２から本体ケース１内に吸い込まれ、次に、塵埃旋回分離手段５を通過し、その後、フィルター５ａを通過する。
【００３５】
フィルター５ａを通過した気流の一部は加湿体６を通過し、他部は加湿体６の周りを通過し、次に、ファン４を通過し、その後、気流吹出部３から本体ケース１外へと吹き出される。
【００３６】
つまり、前記気流吸込部２から本体ケース１内に吸い込まれた気流に含まれる塵埃のうち、大きなものは塵埃旋回分離手段５で旋回されることで分離され、その後、塵埃排出口１２を介して塵埃回収箱７へと回収される。
【００３７】
また、前記気流吸込部２から本体ケース１内に吸い込まれた気流に含まれる塵埃のうち、小さなものは塵埃旋回分離手段５を通過し、その後、フィルター５ａで集塵される。
【００３８】
そして、塵埃が除去された気流の一部が加湿体６を通過することで加湿され、加湿体６の周りを通過した気流とともに、ファン４を通過し、その後、気流吹出部３から本体ケース１外へと吹き出される。
【００３９】
本実施形態の特徴は、塵埃旋回分離手段５を構成する旋回筒８内の旋回手段１１と気流出口１０間に網状のフィルター１３を設けたことである。
【００４０】
また、前記フィルター１３は、旋回筒８内において、気流出口側開口部１４が、気流出口１０に連結され、旋回手段側開口部１５が、旋回手段１１側に延長された網状筒体１６と、この網状筒体１６の旋回手段側開口部１５を覆った網状蓋体１７により構成した。
【００４１】
さらに、網状蓋体１７は、その中心軸部分が前記旋回手段１１側に突出し、この突出部から外周部にかけて前記気流出口１０側に向けて徐々に傾斜させた形状とした。
【００４２】
このため、例えば、髪の毛のような長い塵埃が吸い込まれてきても、それをフィルター１３の傾斜面に沿って外方の塵埃排出口１２へと排出することができるようになり、この結果として、集塵効果を高めることができるのである。
【００４３】
また、前記フィルター１３は、旋回筒８内において、その気流出口側開口部１４が、気流出口１０に連結され、旋回手段側開口部１５が、旋回手段１１側に延長された網状筒体１６と、この網状筒体１６の旋回手段側開口部１５を覆った網状蓋体１７により構成し、前記網状蓋体１７は、その中心軸部分が旋回手段１１側に突出し、この突出部から外周部にかけて気流出口１０側に向けて徐々に傾斜させた形状としたので、フィルター１３としての通気面積が大きく、その結果として、通気抵抗が大きくなるのを抑制することができ、この結果として、集塵効果を高めることができる。
【００４４】
また、網状蓋体１７は、その中心軸部分が旋回手段１１側に突出し、この突出部から外周部にかけて気流出口１０側に向けて徐々に傾斜させた形状としたので、螺旋状の旋回手段１１と網状蓋体１７との空間が、旋回筒８の外周壁へ向かうにつれて広くなる。これにより、旋回気流が空間の広い旋回筒８の外周側へ、より流れやすくなり、旋回手段１１によって形成された旋回流が旋回時の抵抗を受ける事も抑制することができ、この結果として、集塵効果を高めることができる。
【００４５】
なお、上記実施形態では、網状蓋体１７を、その中心軸部分が旋回手段１１側に突出し、この突出部から外周部にかけて気流出口１０側に向けて徐々に傾斜させた形状としたが、その中心軸部分が旋回手段１１側に突出し、この突出部から外周部にかけて気流出口１０側に向けて徐々に傾斜させた半球形状としても良い。
【００４６】
また、フィルター１３の網状筒体１６と網状蓋体１７は、合成樹脂で一体成型したが、静電気による帯電で、塵埃の付着が問題となるときには、網状筒体１６と網状蓋体１７の内、少なくとも網状蓋体１７に導電性を付与すれば良い。
【００４７】
例えば、導電性樹脂を用いたり、金属製としたりすればよい。
【産業上の利用可能性】
【００４８】
以上のように本発明は、塵埃旋回分離手段を構成する旋回筒内の旋回手段と気流出口間に網状のフィルターを設け、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、集塵効果を高めることができる。
【００４９】
すなわち、本発明においては、塵埃旋回分離手段を構成する旋回筒内の旋回手段と気流出口間に網状のフィルターを設け、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、例えば、髪の毛のような長い塵埃が吸い込まれてきても、それをフィルターの傾斜面に沿って外方の塵埃排出口へと排出することができるようになり、この結果として、集塵効果を高めることができるのである。
【００５０】
また、前記フィルターは、前記旋回筒内において、前記気流出口側開口部が、この気流出口に連結され、前記旋回手段側開口部が、前記旋回手段側に延長された網状筒体と、この網状筒体の前記旋回手段側開口部を覆った網状蓋体により構成し、前記網状蓋体は、その中心軸部分が前記旋回手段側に突出し、この突出部から外周部にかけて前記気流出口側に向けて徐々に傾斜させた形状としたので、フィルターとしての通気面積が大きく、その結果として、通気抵抗が大きくなるのを抑制することができ、この結果として、集塵効果を高めることができる。
【００５１】
また、前記網状蓋体は、その中心軸部分が前記旋回手段側に突出し、この突出部から外周部にかけて前記気流出口側に向けて徐々に傾斜させた形状としたので、旋回手段によって形成された旋回流が旋回時の抵抗を受ける事も抑制することができ、この結果として、集塵効果を高めることができる。
【００５２】
したがって、家庭や事務所などで活用される集塵装置として活用することが期待される。
【符号の説明】
【００５３】
１  本体ケース
２  気流吸込部
３  気流吹出部
４  ファン
５  塵埃旋回分離手段
５ａ  フィルター
６  加湿体
７  塵埃回収箱
８  旋回筒
９  気流入口
１０  気流出口
１１  旋回手段
１２  塵埃排出口
１３  フィルター
１３ａ  支持部材
１４  気流出口側開口部
１５  旋回手段側開口部
１６  網状筒体
１７  網状蓋体
１８  板状蓋体
１９  フランジ
【図１】
2015167909.tif 000003
【図２】
2015167909.tif 000004
【図３】
2015167909.tif 000005
【図４】
2015167909.tif 000006
【図５】
2015167909.tif 000007
【図６】
2015167909.tif 000008